(57)【要約】【課題】インパクトのある表現を、多様に変化させて提示することによって、遊技者に飽きの来ない演出ができるとともに、コストが節約でき、環境にもやさしいパチンコ遊技機の装飾盤を提供する。【解決手段】パチンコ遊技機の背景を構成する装飾盤１０を、黒色のセル板１０ｂと板材１０ａによって構成し、筐体１に対して着脱自在に設ける。装飾盤１０に、複数の貫通孔１１を形成し、これに光ファイバー１２の先端を配設する。装飾盤１０の表面に、多数の釘３、始動口部材５、入賞口部材６を配設する。【選択図】　図３
2004033441.tif 000002
【特許請求の範囲】
【請求項１】
パチンコ遊技機の背景を構成する装飾盤において、
複数の貫通孔が形成され、
前記貫通孔には、光ファイバーの先端が配設されていることを特徴とするパチンコ遊技機の装飾盤。
【請求項２】
表面に装飾部材が配設されていることを特徴とする請求項１記載のパチンコ遊技機の装飾盤。
【請求項３】
パチンコ遊技機を構成する筐体に対して、着脱自在に設けられていることを特徴とする請求項１又は請求項２記載のパチンコ遊技機の装飾盤。
【請求項４】
表面が黒色であることを特徴とする請求項１〜３のいずれか１項に記載のパチンコ遊技機の装飾盤。
【発明の詳細な説明】
【０００１】
【発明の属する技術分野】
本発明は、パチンコ遊技機の背景を構成する装飾盤に係り、特に、その視覚的効果に改良を施したパチンコ遊技機の装飾盤に関するものである。
【０００２】
【従来の技術】
一般的に、パチンコ遊技機は、外枠を構成する筐体と、この筐体内に背景となるように固定され、多数の釘と入賞口等が設けらた装飾盤と、パチンコ球を受ける下皿と、操作用のハンドル等を備えている。このようなパチンコ遊技機は、鉄球である多数のパチンコ球を、ハンドル操作によって装飾盤の上方に飛び出させると、これが釘の間を流下していく。そして、パチンコ球が流下していく過程で入賞口に入ると、これを契機として、より多くのパチンコ球が払い出され、これを楽しむことができる。
【０００３】
このような従来のパチンコ遊技機における装飾盤の一例を、図１０を参照して説明する。すなわち、パチンコ遊技機を構成する筐体１内に、装飾盤２が配設されている。この装飾盤２は、板材に対して、色彩や模様を施したセル板を貼り付けることによって構成されている。そして、装飾盤２には、多数の釘３が打ち込まれている。また、装飾盤２には、玉が入る穴若しくは通過するゲートであるチャッカーと、装飾用部材である役物（やくもの）が設けられている。
【０００４】
チャッカーや役物は、それぞれ単独で配設されたものや互いに組み合せて構成されたもの、これを通過した場合にパチンコ球の払い出しの有るものと無いもの等、種々のものが存在するが、ここでは説明の簡略化のため、パチンコ球の払い出しに関係のあるセンター部材４、始動口部材５、入賞口部材６等について説明する。すなわち、センター部材４は、装飾盤２の中央に設けられた液晶ディスプレイ等によって構成されている。この表示装置には、左、中、右に表示された図柄が、スロットマシンのように回転するスクロール表示がなされるように設定されている。なお、このセンター部材４は、表示装置ではなく、機械的に回動するドラムによって実現することもできる。
【０００５】
始動口部材５、入賞口部材６は、流下してきたパチンコ球を受ける羽根やチューリップと呼ばれる役物と、パチンコ玉が入るチャッカーとを有している。始動口部材５のチャッカーにパチンコ球が入ったことをセンサが検知すると、表示装置における左、中、右の図柄の回転が開始する。そして、この図柄が左、中、右で揃うと、例えば、大当たりとなり、払い出されるパチンコ球が増えるように設定されている。入賞口部材６は、そのチャッカーにパチンコ球が入ったことをセンサが検知すると、パチンコ球の払い出しがあるように設定されている。なお、図中７は下皿、８はハンドルである。
【０００６】
ところで、パチンコ遊技機の基本的な動作は、ハンドル操作に応じて出されるパチンコ球が流下していくものであり、大きな変化や物語性に乏しい。そこで、従来のパチンコ遊技機の装飾盤においては、ゲームとしての楽しみを高めるために、セル板に、特定のテーマに沿った文字、図形、記号、キャラクターなどが描かれていたり、役物、表示装置あるいは装飾盤自体に、発光ダイオード（ＬＥＤ）や電球等の種々の発光部材が固定されている。
【０００７】
そして、大当たりの予告であるリーチアクションや、大当り時のアクションを、センター部材４の表示装置に所定のテーマに合わせた映像を表示させたり、発光部材を発光させたりすることによって演出している。さらに、かかるパチンコ遊技機は、音響装置を備えており、多様な効果音によっても、ゲームの楽しさを向上させている。
【０００８】
【発明が解決しようとする課題】
しかし、上記のような従来のパチンコ遊技機の装飾盤においては、セル板そのものに描かれているものは変化することはなく、発光部材は固定されたものが光るのみであるため、その表現が単調であった。また、表示装置に表示される画像については、プログラムの変更等によって種々の変化をさせることができるが、その表示画面が小さく、インパクトが弱かった。特に、近年の遊技者は飽き易いため、新しい演出、新しい工夫を凝らしたものを、次々と提供していかなければ、店舗としての営業が成り立たない。これに対処するため、多くの店舗では、短期間で頻繁に、異なったテーマの新しいパチンコ遊技機に入れ換えて、遊技者に飽きられないようにしている。
【０００９】
このようなパチンコ遊技機の入れ換え周期は、次第に早まる傾向にあるが、パチンコ遊技機は非常に高価であり、経費がかかるとともに、その入れ換え作業には手間がかかるので、今後も入れ換え周期が短くなっていくことになると、営業上必ずしも好ましくはない。筐体を再利用して、その他を交換するという方法によったとしても、釘、役物、セル板等の部材は装飾盤に固定されており、特に、セル板にはキャラクター等が描かれているので、大半の場合は再利用されることができない。このように、半ば使い捨てられるような利用の仕方は、コストの問題に関わるだけではなく、広い意味で、環境問題にも深刻な影響を与えると考えられる。
【００１０】
本発明は、上記のような従来技術の問題点を解決するために提案されたものであり、その目的は、インパクトのある表現を、多様に変化させて提示することによって、遊技者に飽きの来ない演出ができるとともに、コストが節約でき、環境にもやさしいパチンコ遊技機の装飾盤を提供することにある。
【００１１】
【課題を解決するための手段】
上記目的を達成するために、請求項１記載の発明は、パチンコ遊技機の背景を構成する装飾盤において、複数の貫通孔が形成され、前記貫通孔には、光ファイバーの先端が配設されていることを特徴とする。
以上のような請求項１記載の発明では、光ファイバーに光源からの光を入射させることにより、装飾盤の貫通孔から光が出射するので、例えば、遊戯盤における比較的広いスペースを利用して、インパクトのある表現が可能となる。さらに、装飾盤を交換しなくても、光源からの入射光を制御することによって、表現態様を自由に変化させることができるので、遊技者に飽きのこない演出を行なうことができ、コスト節約に繋がるとともに、環境への影響を少なくすることができる。
【００１２】
請求項２記載の発明は、請求項１記載のパチンコ遊技機の装飾盤において、表面に装飾部材が配設されていることを特徴とする。
以上のような請求項２記載の発明では、光ファイバーを配置した部分が、装飾部材と同等の役割を果たすので、装飾部材の使用量を低減でき、再利用可能な部分を多くすることができる。
【００１３】
請求項３記載の発明は、請求項１又は請求項２記載のパチンコ遊技機の装飾盤において、パチンコ遊技機を構成する筐体に対して、着脱自在に設けられていることを特徴とする。
以上のような請求項３記載の発明では、装飾盤のみを交換したり、装飾盤以外を交換したりすることができるので、故障時や新台入れ換えの際に、コスト節約のために種々の工夫ができる。
【００１４】
請求項４記載の発明は、請求項１〜３のいずれか１項に記載のパチンコ遊技機の装飾盤において、表面が黒色であることを特徴とする。
以上のような請求項４記載の発明では、装飾盤の表面が黒色なので、光ファイバーによる光の輝度を必要最小限にしても、光を非常に明るく見せることができるとともに、省電力化が可能となる。
【００１５】
【発明の実施の形態】
本発明の実施の形態（以下、実施形態とする）を、図面を参照して具体的に説明する。なお、図１０に示した従来技術と同様の部材は、同一の符号を付して説明を省略する。
［実施形態の構成］
まず、図１に示すように、本実施形態における装飾盤１０には、多数の釘３、始動口部材５、入賞口部材６等が取り付けられている。装飾盤１０は、図２に示すように、ベニヤ等の板材１０ａの表面に、黒色のセル板１０ｂを張り付けたものであり、筐体１に対して着脱自在に設けられている。この装飾盤１０の全面には、多数の貫通孔１１が形成されいる。そして、貫通孔１１には、図３に示すように、装飾盤１０の裏側から、それぞれ光ファイバー１２の先端１２ａが挿入されている。なお、その他の役物等の盤面装飾部材については、説明を省略する。
【００１６】
貫通孔１１に取り付けられた多数の光ファイバー１２の他端１２ｂは、枠状のブロック１３内にまとめられ、光源１４及び遮蔽部１５に接続されている。光源１４としては、電球、発光ダイオード（ＬＥＤ）、半導体レーザ等、公知のあらゆるものが適用可能である。遮蔽部１５は、液晶パネル等のように、光源１４からの光を所望の箇所だけ透過させて光ファイバー１２に入射させ、他は不透過とする部材であり、制御装置１６によって制御される。
【００１７】
制御装置１６は、専用の回路によっても、所定のプログラムによって作動するコンピュータによっても構成できる。例えば、図５に示すように、チャッカーにパチンコ球が入ったことを検知するセンサーからの情報を検出する検出部１６ａと、種々の画像パターンを記憶したメモリ１６ｂと、検出部１６ａからの検出結果に応じた画像パターンが表示されるように、遮蔽部１５に制御信号を出力する制御信号出力部１６ｃ等を有している。
【００１８】
［実施形態の作用］
以上のような構成を有する本実施形態の作用を説明する。すなわち、ハンドル８を操作することにより、パチンコ球を出射させ、始動口部材５、入賞口部材６等のチャッカーにパチンコ球が入ったことがセンサによって検知されると、これが検出部１６ａに検出される。すると、メモリ１６ｂに記憶された画像パターンのうち、それぞれの場合に応じた画像パターンが表示されるように、制御信号出力部１６ｃから遮蔽部１５に制御信号が出力される。遮蔽部１５の液晶パネルは、画像パターンのうちで発光させない部分については、光源１４からの光を光ファイバー１２に透過させず、発光させる部分については透過させるように変化する。従って、光ファイバー１２の先端から、所定の画像パターンで光が出射するので、装飾盤１０を見て操作している遊技者がこれを認識することができる。
【００１９】
このような画像パターンの例としては、種々のものが考えられる。例えば、図６に示すように、特定の図形が流れるように発光させる方法や、図７に示すように、特定の文字、図形、キャラクター等が浮き上がるように発光させる方法などがある。街頭の電光掲示板のように、発光部位が流れるように表示させたり、スクロール表示させたりすることも可能である。表示される情報は、パチンコに関連したものには限定されず、例えば、ニュースや広告等であってもよい。
【００２０】
さらに、図８に示すように、複数のパチンコ遊技機を関連づけて、そのうちのいずれかの台で大当たり等となった場合には、関連づけられたパチンコ遊技機が全体で表示画面を構成するように制御することともできる。図９に示すように、関連づけられたパチンコ遊技機の間での出球の順位を表示させることもできる。
【００２１】
［実施形態の効果］
以上のような本実施の形態によれば、従来、セル板１０ｂそのものに描かれていたものや、単純に固定された発光部材による表現とは異なり、多数の光ファイバー１２を利用して、インパクトがある画像を、種々変化させて表現することができる。従って、小さなスペースではなく、広い面積、例えば、セル板１０ｂ全体を画面として利用することによって、従来にはない自由度の高い演出が可能となり、視覚的遊戯性を最大限に引き出して、遊技者をより一層楽しませることができる。
【００２２】
特に、セル板１０ｂが黒色なので、光ファイバー１２による光の輝度を必要最小限にしても、非常に明るく見せることができるとともに、省電力化が可能となる。また、黒色の中で発光させることによって、神秘的な効果を出すこともできる。
【００２３】
また、装飾盤１０を頻繁に交換しなくとも、表示させる画像パターンを変化させることによって、飽きのこないパチンコ遊技機を構成できるので、新台入れ換えの頻度を少なくして、コスト節約を図ることが可能となり、廃棄量を低減して環境に与える影響を少なくすることができる。
【００２４】
また、装飾盤１０は筐体１に着脱可能に設けられているので、故障時や廃棄時には、装飾盤１０のみを取り外して交換等することができる。装飾盤１０から光ファイバー１２も取り外して、装飾盤１０のみを交換等することもできる。また、光ファイバー１２を配置した装飾盤１０は、役物又は装飾部材の役割を果たすので、機種毎に特徴のある装飾部材等を多数使用する必要がなくなる。従って、新機種を製作する際に、装飾盤１０の中で再利用できる部分を多くすることができる。このため、パチンコ遊技機における１台当たりの装飾盤１０のコストを削減でき、パチンコ機種の入れ替えの際のコストも抑えることができる。さらに、再利用できる部分が増えるということによっても、環境に与える影響を抑えることができる。
【００２５】
［他の実施形態］
本発明は、上記のような実施形態に限定されるものではない。例えば、装飾盤の表面は、黒色のセル板とする必要は必ずしもなく、他の色や模様が付されたものであってもよい。例えば、パチンコ遊技機の周囲を暗くすることによって、表面を比較的明るい色としても、光ファイバーからの光を明確に認識することができる。装飾盤を構成する材料も自由であり、木材、樹脂、セラミック、布、金属等、様々なものを適用できる。
【００２６】
また、装飾盤に形成する貫通孔は、必ずしも盤面全体に形成する必要はなく、形成する箇所を種々変更することも可能である。例えば、中央部分若しくはその周囲にのみ形成したり、複数の分割された箇所に形成したりしてもよい。さらに、貫通孔の配置方法や大きさ等も変更可能である。例えば、貫通孔の幅を均等な間隔で設けることも、ランダムに設けることも可能である。貫通孔の形状は、装飾盤の裏面側は光ファイバー先端に合わせることが望ましいが、表面側は円形等には限定されず、方形、星型その他自由な形状とすることができる。必ずしもすべての貫通孔の形状や大きさを統一させる必要はない。
【００２７】
本発明に使用される光ファイバーの種類や径についても、特定のものには限定されない。貫通孔に対する光ファイバーの取付け構造も自由であり、直接端部を挿入する方法のみならず、着脱自在のコネクタ等を介して連結して、脱着の容易化を図ることもできる。
【００２８】
また、光ファイバーへの入射光の制御構造についても、上記の実施形態で例示したものには限定されない。液晶ディスプレイによる遮蔽ではなく、スライドフィルムのようなものであっても、板に穴を形成したものによる遮蔽であってもよい。一つの光ファイバー若しくは複数の光ファイバーごとに光源を配置して、光源自体の発光を制御することによって、遮蔽部材を使用しない構成とすることも可能である。光ファイバーの束を、複数のユニットに分けて各ユニット毎に光源を設けて発光を制御する構成とすることも可能である。ＣＲＴディスプレイ等の発光面を、直接光ファイバーの入射端に接続してもよい。
【００２９】
発光色の制御は、光源自体や、光源に配設されたフィルター等によって行なってもよいし、貫通孔に配設されたフィルターによって行なってもよい。３本以上の光ファイバーを組合せて、それぞれから出射されるＲＧＢの光の輝度を調節することによって、発光色を制御することもできる。貫通孔にレンズ等を嵌め込んで、光を放射させる構成としてもよい。表示する画像としては、静止画であっても動画であってもよい。従って、ビデオやＴＶの画像を表示させることによって、遊技者がパチンコ中にビデオ画像やＴＶ画像を楽しむことができる構成とすることも可能である。
【００３０】
また、本発明における装飾盤に対して、従来と同様の表示装置やドラム等を組合せることも可能である。かかる構成とすることによって、より一層多様な表現が可能となる。さらに、本発明は、パチンコ遊技機のみならず、いわゆるパチスロや、アーケードゲーム機等の背景盤に適用することもできる。
【００３１】
【発明の効果】
以上説明したように、本発明によれば、インパクトのある表現を、多様に変化させて提示することによって、遊技者に飽きの来ない演出ができるとともに、コストが節約でき、環境にもやさしいパチンコ遊技機の装飾盤を提供することができる。
【図面の簡単な説明】
【図１】本発明のパチンコ遊技機の装飾盤の実施形態を示す正面図。
【図２】図１の実施形態における装飾盤の一部拡大図。
【図３】図１の実施形態における装飾盤に対する光ファイバーの取付構造を示す拡大図。
【図４】図１の実施形態における発光制御構造を示す斜視図。
【図５】図１の実施形態における制御装置を示す機能ブロック図。
【図６】図１の実施形態における表示例を示す正面図。
【図７】図１の実施形態における表示例を示す正面図。
【図８】図１の実施形態における複数台が関連付けられた表示例を示す正面図。
【図９】図１の実施形態における複数台の出球の順位の表示例を示す正面図。
【図１０】従来のパチンコ遊技機の装飾盤の一例を示す正面図。
【符号の説明】
１…筐体
２，１０…装飾盤
３…釘
４…センター部材
５…始動口部材
６…入賞口部材
１０ａ…板材
１０ｂ…セル板
１１…貫通孔
１２…光ファイバー
１２ａ…先端
１２ｂ…他端
１３…ブロック
１４…光源
１５…遮蔽部
１６…制御装置
１６ｂ…メモリ
１６ａ…検出部
１６ｃ…制御信号出力部
【図１】
2004033441.tif 000003
【図２】
2004033441.tif 000004
【図３】
2004033441.tif 000005
【図４】
2004033441.tif 000006
【図５】
2004033441.tif 000007
【図６】
2004033441.tif 000008
【図７】
2004033441.tif 000009
【図８】
2004033441.tif 000010
【図９】
2004033441.tif 000011
【図１０】
2004033441.tif 000012